(57)【要約】  【課題】  キュースティックが、ボールの中心から少しでも外れてヒットしたときに、ボールに与える変化が大きくなり、ボールコントロールが難しい課題があった。  【解決手段】  ビリヤード用キュースティックは、木材製で形成されるシャフト及び／又はバット１の表面に長さ方向へ溝２を形成し、該溝２に嵌合部材３を嵌合して形成されるシャフト及び／又はバット１からなる。又ビリヤード用キュースティックは、木材製で形成されるシャフト及び／又はバット１の表面に長さ方向へ形成した溝２を周囲方向に複数設け、該溝２に嵌合部材３として竹材３ａ、木材３ｂ又は硬質合成樹脂材３ｃを嵌合して形成する。【選択図】  図１
2005312720.tif 000002
【特許請求の範囲】
【請求項１】
シャフトとバットを接続して成るビリヤード用キュースティックにおいて、木材製で形成されるシャフト及び／又はバットの表面に長さ方向へ溝を形成し、該溝に嵌合部材を嵌合して形成されるシャフト及び／又はバットであることを特徴とするビリヤード用キュースティック。
【請求項２】
シャフトとバットを接続して成るビリヤード用キュースティックにおいて、木材製で形成されるシャフト及び／又はバットの表面に長さ方向へ形成した溝を周囲方向に複数設け、それぞれの溝に嵌合部材を嵌合して形成されるシャフト及び／又はバットであることを特徴とするビリヤード用キュースティック。
【請求項３】
嵌合部材が竹材からなる請求項１又は請求項２に記載のビリヤード用キュースティック。
【請求項４】
嵌合部材が硬質合成樹脂材からなる請求項１又は請求項２に記載のビリヤード用キュースティック。
【請求項５】
嵌合部材が木材からなる請求項１又は請求項２に記載のビリヤード用キュースティック。
【発明の詳細な説明】
【技術分野】
【０００１】
この発明は、シャフトとバットを接続して成るビリヤード用キュースティックに関する。
【背景技術】
【０００２】
ビリヤード用キュースティックのシャフトおよびバットの外形状は、やや外表面がテーパ状の緩い傾斜の円錐台状棒状体であり、その素材は、単材としては加工された木製のものがほとんどである。また単材の他に中空構造や多層からなる構造のキューも知られているが、主に木製の素材の異なるタイプを多層に加工して形成されていた。
【０００３】
本願出願人は、ビリヤード用キュースティックに関して、木製という同一の素材を多層構造にしたものを、特開２００１−０７０４９９号公報（特願平１１−２５１７９９号：先行技術１）により提案しており、また異なる素材の多層構造としては特開２００１−１９８２５６号公報（特願２０００−１０９７９号：先行技術２）として出願されている。更に、本願出願人は、特開２００１−３４６９３２号公報（特願２０００−１７３８９８号：先行技術３）により中空部を有するビリヤード用キュースティックを提案している。更にまた、本願出願人は、特願２００２−２７６１８３号（先行技術４）により、改良された多層構造のビリヤード用キュースティックを提案している。
【０００４】
先行技術１によって本願出願人は、「キューのバット部および／またはシャフト部が、中芯材と、中芯材の周囲に設けられた周囲材とからなることを特徴とするビリヤード用キュースティック」を開示している。
【０００５】
また、先行技術２には、「ビリヤード用キュースティックのシャフトおよび／またはバットが、棒中心部から外周表面層へ異なる素材からなる多層構造を有する棒状体からなり、多層構造の中心に貫通孔を設けたビリヤード用キュースティック」が開示されている。
【０００６】
更に、先行技術４には、「シャフトとバットが多層構造であり、シャフトが、中心から周囲方向へ複数層で、中心層が発泡プラスチック素材等の軽量部材からなり、外周層が硬質部材からなり、中心層と外周層との間に接着性及び弾力性を有する接着性弾性部材を設けている棒状体であるとともに、バットが、中心から周囲方向へ複数層で、中心層及び外周層が硬質部材からなり、中心層と外周層との間に接着性及び弾力性を有する接着性弾性部材を設けている棒状体であることを特徴とするビリヤード用キュースティック」や「シャフトとバットが多層構造からなるとともに、シャフトの多層構造とバットの多層構造が互いに異なり、シャフトが、中心から周囲方向へ複数層で、中心層が発泡プラスチック素材等の軽量部材からなり、中心層の外周側に強化筒部を設け、外周層が硬質部材からなり、強化筒部と外周層との間に接着性及び弾力性を有する接着性弾性部材を設けて接着してなる棒状体であるとともに、バットが、中心から周囲方向へ複数層で、中心層及び外周層が硬質部材からなり、中心層の外周面に強化筒部を設け、強化筒部と外周層との間に接着性及び弾力性を有する接着性弾性部材を設けて強化筒部と外周層を接着してなる棒状体であることを特徴とするビリヤード用キュースティック」が開示されている。
【特許文献１】特開２００１−０７０４９９号公報
【特許文献２】特開２００１−１９８２５６号公報
【特許文献３】特開２００１−３４６９３２号公報
【特許文献４】特願２００２−２７６１８３号
【発明の開示】
【発明が解決しようとする課題】
【０００７】
単材、あるいは単素材からなる多層構造、あるいは異なる素材からなる多層構造や、中空を有する構造のビリヤード用キュースティックは、それぞれ課題があった。木製のみからなる単材のビリヤード用キュースティックは、曲がりが出やすく、柾目方向と板目方向とのしなりと反発の違いがでて、ショットが安定しにくい課題があった。
【０００８】
また、多層構造のキュースティックでは、一般的に初心者や初級者、中級者の場合、キューがボールの中心から少しでも外れてヒットしたときに、ボールに与える変化が大きくなり、ボールコントロールが難しい課題があった。そのため、ゲームを面白く楽しむためには、多くの時間と努力を必要としていた。
【０００９】
また、先行技術３のように中空部を有するビリヤード用キュースティックであると、ボールと突いた時の打撃音が高く、また突いたときにプレーヤーの手が感じる振動波が堅く、微妙な感触を得にくいという課題があった。
【課題を解決するための手段】
【００１０】
上記課題を解決するために、シャフトとバットを接続して成るビリヤード用キュースティックにおいて、木材製で形成されるシャフト及び／又はバットの表面に長さ方向へ溝を形成し、該溝に嵌合部材を嵌合して形成されるシャフト及び／又はバットであることを特徴とするビリヤード用キュースティックを提案する。
【００１１】
また、シャフトとバットを接続して成るビリヤード用キュースティックにおいて、木材製で形成されるシャフト及び／又はバットの表面に長さ方向へ形成した溝を周囲方向に複数設け、それぞれの溝に嵌合部材を嵌合して形成されるシャフト及び／又はバットであることを特徴とするビリヤード用キュースティックを提案する。
【００１２】
上記００１０欄又は００１１欄に記載した嵌合部材が竹材又は硬質合成樹脂材又は木材からなるビリヤード用キュースティックを提案する。
【発明の効果】
【００１３】
この発明によれば、木材製のシャフト及び／又はバット表面に長さ方向へ溝を形成し、その溝に嵌合部材として竹材、硬質合成樹脂材、又は木材などを嵌合させることによって、棒状体の本体部分を形成する木材の性質と、別部材である嵌合部材の性質が合成され、従来のビリヤード用キュースティックとは異なる歪みの出にくい平均のとれた性質になり、初心者でも扱いやすい性質となった。
【００１４】
特に、嵌合部材を本体部分の木材とは異なる性質の素材で形成した場合、例えば嵌合部材が竹材、或は硬質合成樹脂材などである場合、本体部分の木材の持つ弾性と、竹材あるいは硬質合成樹脂材の特徴である粘りとしなりとが合成され、より従来のビリヤード用キュースティックとは異なる歪みの出にくい平均のとれた性質になり、初心者でも扱いやすい性質となった
【００１５】
また、木材製のシャフト及び／又はバット表面に長さ方向へ形成した溝を、周囲方向へ複数形成し、その各々の溝に嵌合部材を嵌合することによって、より木材の持つ性質と、嵌合部材の性質が合成されやすくなり、従来のビリヤード用キュースティックとは異なる歪みの出にくい平均のとれた性質になり、初心者でも扱いやすい性質となった。
【００１６】
本体部分が木材製からなるシャフト及び／又はバットの表面に長手方向へ形成される溝が、周囲方向へ複数設けられ、それぞれの溝に嵌合部材が嵌め込まれることにより、一体的に形成される木材からなるシャフトやバットからでは得られない、しなりや粘りが大幅に増え、ボールに従来より多くのエネルギーを与えることができるようになり、余分な力を掛けないでプレーが可能であるため、ボールコントロールがやりやすくなった。
【００１７】
更に、ビリヤード用キュースティックの嵌合部材として竹材を使用すると、横のスピンを掛けたときの前進時に起きるカーブ軌道が、通常の木材製のビリヤード用キュースティックより、約８０％〜９０％小さくなった。したがって、目標に対する狙いが優しくなるため、特に初心者、初級者などにとっては、目標に当る率が向上しゲームが楽しくでき、上達も早くなる効果がある。
【発明を実施するための最良の形態】
【００１８】
この発明について、実施形態を示すビリヤード用キュースティックのシャフト又はバットの横断面図を示す図１乃至図３、及びシャフトの正面を示す図４、図５に基づいて説明する。シャフト１は、図４、図５に示すように先端１ａへ行くにしたがって細くなる棒状体であり、後端１ｂで図示しないバットと接続する。図示しないバットもシャフト後端１ｂと接続する先端が一番細く、漸次後端へいくほど太くなる棒状体である。
【００１９】
この発明の１つの実施形態を示すビリヤード用キュースティックのシャフト及び／又はバット１は、それぞれ先端１ａへ行くにしたがって棒状体の太さが細くなる棒状体形状であり、本体部分は木材製である。シャフト及び／又はバット１は、その表面に長さ方向へ溝２を形成し、該溝２に嵌合部材３を嵌合して形成される。
【００２０】
溝２は、各々幅１．０ｍｍ乃至４．０ｍｍ程度、深さ１．０ｍｍ乃至４．０ｍｍ程度の平底面及び両側面を有する角状の溝に形成し、シャフト及び／又はバット１の全長に亘って図４に示すように同寸法に形成する。例えば、溝２の幅が２．０ｍｍ、深さ２．０ｍｍの場合、全長に亘って同寸法に形成する。シャフト及び／又はバット１は、それぞれ先端１ａ方向に行くほど細くなる棒状体であるため、溝２の幅が、図４に示すように一定の幅、深さであると、シャフト及び／又はバット１の本体部分を形成している木材製部分が狭くなり先端に行くほど間隔は狭くなる。それぞれの溝２は、棒状体の周囲方向について互いに等間隔に離して適宜数設けるが、通常２本乃至１６本であり、幅や深さにも関連するが、４本乃至１２本程度が望ましい。特殊な実施例としては、溝２を長手方向に１本設け、その溝２に各種性質の嵌合部材３を嵌合して形成することも可能である。この溝２が１本のビリヤード用キュースティックの場合、使用時のバランスが難しく、上級者向きの特殊なものとなる。
【００２１】
溝２の別の実施例としては、図５に示すように各々幅１．０ｍｍ乃至４．０ｍｍ程度、深さ１．０ｍｍ乃至４．０ｍｍ程度で形成するが、シャフト及び／又はバット１の棒状体の周囲長、太さ等におおよそ比例して先端に行くほど幅は細く、深さは浅くして形成してもよい。それぞれの溝２は、棒状体の周囲方向について互いに等間隔に離して適宜数設けるが、通常２本乃至１６本であり、幅や深さにも関連するが、４本乃至１２本程度が望ましい。
【００２２】
また、別の実施例では、各々の溝２（同寸法の溝２、先端に行くにしたがって細くなる溝２）をシャフト及び／又はバット１の全長に亘って形成せず、適宜長手方向途中まで形成した溝２でもよい。更に、各々の溝２は、角状の溝でなく半円状の溝でもよい。
【００２３】
更に、シャフト及び／又はバット１の周囲方向に複数設けられた溝２の幅及び／又は深さを、隣接する溝２とは異なる寸法にして設けることも可能である。例えば、４本の場合、広狭広狭、深浅深浅というように交互に設けることも可能である。
【００２４】
この発明の第１実施形態としては、木材製で形成されるシャフト及び／又はバット１の長さ方向へ形成し全長に亘って同じ幅、深さに形成した溝２を周囲方向へ等間隔で複数設け、各々の溝２に嵌合部材３である嵌合竹材３ａを嵌合して接着剤等で固定して形成される。嵌合竹材３ａは、その溝２に嵌合可能な形状に形成するのがよいが、やや細く薄く形成して、接着剤を周囲に充填させ固形化して形成することも可能である。
【００２５】
溝２に嵌合する嵌合竹材３ａは、先端に行くほど狭く、浅くなる形状に加工することが比較的困難であるため、溝２は全長に亘って幅、深さは、同寸法で形成する方が嵌合竹材３ａの加工がし易く好ましい。嵌合竹材３ａは、溝２の形状に対応した形状の場合、接着剤を塗布しないで溝２に嵌合させてもよい。
【００２６】
図２及び図３に示す、シャフト及び／又はバット１は、他の実施形態であり、木材製で形成されるシャフト及び／又はバット１の周面に長さ方向へ形成した溝２を周囲方向へ複数設け、各々の溝２に嵌合竹材３ａを嵌合して形成するとともに、中心に中空部４ａを形成する（図２）か、又は、中空部４ａに発泡スチロールなどの充填材４ｂを嵌合して設けている（図３）。
【００２７】
この発明の第２実施形態としては、木材製で形成されるシャフト及び／又はバット１の長さ方向へ形成し全長に亘って同じ幅、深さに形成した溝２を周囲方向へ等間隔で複数設け、各々の溝２に嵌合部材３である嵌合木材３ｂを嵌合して接着剤等で固定して形成される。嵌合木材３ｂは、本体部分である棒状体を構成する木材と性質が異なる木材の方が作用効果が出現しやすいが、同種同性質の木材を嵌合させてもよい。また、同じ種類の木材でも、柾目材と板目材では性質が異なり、また樹種の違いのよる硬軟等の性質が違い、自然材とベニヤ材なとの加工材との違いがある。そして、嵌合部材３である嵌合木材３ｂは、それぞれの溝２に嵌合可能な形状に形成される。例えば溝２に対応する形状に形成して接着剤を付して、又は付けないで嵌合させてもよく、やや細く薄く形成して、接着剤を周囲に充填させ固形化して形成することも可能である。
【００２８】
溝２に嵌合する木材３ｂは、溝２が先端に行くほど狭く、浅くなる形状であった場合、その形状に対応するか、細い幅、薄さに合致させた同じ幅、同じ厚さの形状に加工して、嵌合させる。
【００２９】
図２及び図３に示す、シャフト及び／又はバット１は、他の実施形態であり、木材製で形成されるシャフト及び／又はバット１の周面に長さ方向へ形成した溝２を周囲方向へ複数設け、各々の溝２に木材３ｂを嵌合して形成するとともに、中心に中空部４ａを形成する（図２）か、又は、中空部４ａに発泡スチロールなどの充填材４ｂを嵌合して設けている（図３）。
【００３０】
この発明の第３実施形態としては、木材製で形成されるシャフト及び／又はバット１の長さ方向へ形成した溝２を周囲方向へ等間隔で複数設け、各々の溝２に、その溝２の形状に硬質合成樹脂材３ｃを嵌合して形成される。
【００３１】
この発明の第３実施形態としては、木材製で形成されるシャフト及び／又はバット１の長さ方向へ形成し全長に亘って同じ幅、深さに形成した溝２を周囲方向へ等間隔で複数設け、各々の溝２に嵌合部材３である硬質合成樹脂材３ｃを嵌合して接着剤等で固定して形成される。硬質合成樹脂材３ｃは、それぞれの溝２に嵌合可能な形状に形成される。例えば溝２に対応する形状に形成して接着剤を付して、又は付けないで嵌合させてもよく、やや細く薄く形成して、接着剤を周囲に充填させ固形化して形成することも可能である。
【００３２】
溝２に嵌合する硬質合成樹脂材３ｃは、溝２が先端に行くほど狭く、浅くなる形状であった場合、その形状に対応するか。細い幅、薄さに合致させた同じ幅、同じ厚さの形状に加工して嵌合させる。
【００３３】
図２及び図３に示す、シャフト及び／又はバット１は、他の実施形態であり、木材製で形成されるシャフト及び／又はバット１の周面に長さ方向へ形成した溝２を周囲方向へ複数設け、各々の溝２に硬質合成樹脂材３ｃを嵌合して形成するとともに、中心に中空部４ａを形成する（図２）か、又は、中空部４ａに発泡スチロールなどの充填材４ｂを嵌合して設けている（図３）。
【００３４】
更に、この発明の他の実施形態としては、嵌合部材３を、金属材、ゴム等の弾性部材等で形成してもよい。
【産業上の利用可能性】
【００３５】
ビリヤード用キューとして、初心者から上級者までの利用が期待される。
【図面の簡単な説明】
【００３６】
【図１】この発明の実施形態を示すビリヤード用キュースティックのシャフト又はバットの横断面図
【図２】この発明の他の実施形態を示すビリヤード用キュースティックのシャフト又はバットの横断面図
【図３】この発明の他の実施形態を示すビリヤード用キュースティックのシャフト又はバットの横断面図
【図４】この発明の実施形態を示すビリヤード用キュースティックのシャフトの正面図
【図５】この発明の他の実施形態を示すビリヤード用キュースティックのシャフトの正面図
【符号の説明】
【００３７】
１  シャフト又はバット
２  溝
３  嵌合部材
３ａ  嵌合竹材
３ｂ  嵌合木材
３ｃ  硬質合成樹脂材
４ａ  中空部
４ｂ  充填材
【図１】
2005312720.tif 000003
【図２】
2005312720.tif 000004
【図３】
2005312720.tif 000005
【図４】
2005312720.tif 000006
【図５】
2005312720.tif 000007